(57)【要約】【課題】  煩雑な操作を必要とせずに、必要とされるタイミングで、露出や色に関する情報を撮影した画像上に表示すること。【解決手段】  撮像装置において、被写体の光学像を電気的な画像信号に変換して出力する撮像素子（１０３）と、前記画像信号の輝度情報を取得する輝度情報取得部（１１３）と、露出を制御する指示を入力するための露出操作部（１１１）と、表示部（１１２）と、前記露出操作部の操作が行われている場合に、前記輝度情報を前記画像信号に重畳させて前記表示部に表示し、前記露出操作部の操作が行われていない場合に、前記輝度情報を前記画像信号に重畳させずに前記画像信号を前記表示部に表示するように制御する表示制御手段（１１５、１１６、１１７）とを有する。【選択図】  図１
2008278040.tif 000002
【特許請求の範囲】
【請求項１】
被写体の光学像を電気的な画像信号に変換して出力する撮像素子と、
前記画像信号の輝度情報を取得する輝度情報取得手段と、
露出を制御する指示を入力するための操作手段と、
表示手段と、
前記操作手段の操作が行われている場合に、前記輝度情報を前記画像信号に重畳させて前記表示手段に表示し、前記操作手段の操作が行われていない場合に、前記輝度情報を前記画像信号に重畳させずに前記画像信号を前記表示手段に表示するように制御する表示制御手段と
を有することを特徴とする撮像装置。
【請求項２】
時間を計測する計時手段を更に有し、
前記操作手段の操作が終了してから、前記計時手段により計測された時間が予め設定された時間を過ぎるまで、前記表示制御手段は、前記輝度情報を重畳して表示させるように制御することを特徴とする請求項１に記載の撮像装置。
【請求項３】
強制表示モード、非表示モード、自動表示モードのいずれかを選択するための選択手段を更に有し、
前記表示制御手段は、前記自動表示モードが選択されている場合に前記操作手段の操作に応じて前記制御を行い、前記強制表示モードが選択されている場合に、前記操作手段の操作に関わらず前記輝度情報を前記表示手段に重畳して表示させるように制御し、前記非表示モードが選択された場合には、前記操作手段の操作に関わらず前記輝度情報を前記表示手段に表示しないように制御することを特徴とする請求項１または２に記載の撮像装置。
【請求項４】
被写体の光学像を電気的な画像信号に変換して出力する撮像素子と、
前記画像信号の色情報を取得する色情報取得手段と、
前記画像信号に施す色処理に用いられるパラメータを入力するための操作手段と、
表示手段と、
前記操作手段の操作が行われている場合に、前記色情報を前記画像信号に重畳させて前記表示手段に表示し、前記操作手段の操作が行われていない場合に、前記色情報を前記画像信号に重畳させずに前記画像信号を前記表示手段に表示するように制御する表示制御手段と
を有することを特徴とする撮像装置。
【請求項５】
時間を計測する計時手段を更に有し、
前記操作手段の操作が終了してから、前記計時手段により計測された時間が予め設定された時間を過ぎるまで、前記表示制御手段は、前記色情報を重畳して表示させるように制御することを特徴とする請求項４に記載の撮像装置。
【請求項６】
強制表示モード、非表示モード、自動表示モードのいずれかを選択するための選択手段を更に有し、
前記表示制御手段は、前記自動表示モードが選択されている場合に前記操作手段の操作に応じて前記制御を行い、前記強制表示モードが選択されている場合に、前記操作手段の操作に関わらず前記色情報を前記表示手段に重畳して表示させるように制御し、前記非表示モードが選択された場合には、前記操作手段の操作に関わらず前記色情報を前記表示手段に表示しないように制御することを特徴とする請求項４または５に記載の撮像装置。
【請求項７】
被写体の光学像を電気的な画像信号に変換して出力する撮像工程と、
前記画像信号の輝度情報を取得する輝度情報取得工程と、
露出を制御する操作が行われているかどうかを判断する判断工程と、
前記判断工程で操作が行われていると判断された場合に、前記輝度情報を前記画像信号に重畳させて表示手段に表示し、前記判断工程で操作が行われていないと判断された場合に、前記輝度情報を前記画像信号に重畳させずに前記画像信号を前記表示手段に表示するように制御する表示制御工程と
を有することを特徴とする表示制御方法。
【請求項８】
被写体の光学像を電気的な画像信号に変換して出力する撮像工程と、
前記画像信号の色情報を取得する色情報取得工程と、
前記画像信号に施す色処理に用いられるパラメータを入力する操作が行われているかどうかを判断する判断工程と、
前記判断工程で操作が行われていると判断された場合に、前記色情報を前記画像信号に重畳させて表示手段に表示し、前記判断工程で操作が行われていないと判断された場合に、前記色情報を前記画像信号に重畳させずに前記画像信号を前記表示手段に表示するように制御する表示制御工程と
を有することを特徴とする表示制御方法。
【請求項９】
コンピュータに、請求項７または８に記載の表示制御方法の各工程を実行させるためのプログラム。
【請求項１０】
請求項９に記載のプログラムを格納したことを特徴とするコンピュータが読み取り可能な記憶媒体。
【発明の詳細な説明】
【技術分野】
【０００１】
本発明は、撮像装置、表示制御方法、プログラム及び記憶媒体に関し、更に詳しくは、輝度や色などの情報を画像に重畳表示することのできる撮像装置、表示制御方法、プログラム及び記憶媒体に関する。
【背景技術】
【０００２】
従来、電子カメラなどの撮像装置において、輝度のヒストグラムやゼブラパターンといった、撮影した画像の輝度レベルを示す情報を画像に重畳表示して、撮影者が露出状況を確認できる機能を備えたものがある。一般に、動画撮影用の機器においてはゼブラパターンが使用される場合が多く、静止画撮影用の機器においてはヒストグラムが使用される場合が多い。ゼブラパターンとは、撮影した画像の内、特定の範囲の輝度レベルに対応した画像の部分に表示する矩形波や正弦波等の画像のことであり、撮影した画像に重畳表示することで、所望の被写体の露出を決定する際のアシストをするために用いられる。また、輝度のヒストグラムは、画像の一部若しくは全体の輝度レベルを示すために作成されたヒストグラムで、作成したヒストグラムを撮影した画像に重畳表示することで、所望の被写体の露出を決定する際のアシストをするために用いられる。これらゼブラパターンや輝度のヒストグラムは、通常は撮影者が露出レベルを確認したい場合に、表示させるように設定を切り替えることによって表示させる（例えば、特許文献１参照）。
【０００３】
図４はヒストグラムの表示例を示す表示画像の概念図である。図４において、４０１は撮影画像、４０２は撮影画像の輝度レベルを示すヒストグラムである。表示情報の非表示が選択された場合には、ヒストグラム４０２は表示されず、表示情報の表示が選択された場合に、ヒストグラム４０２が図４のように表示される。撮影者は表示されたヒストグラム４０２に基づいて露出状態を判断することができる。
【０００４】
また、レリーズボタンの半押し時に露出補正がなされていたら、人物の顔を抽出し、顔領域から得られた情報に基づいてアシスト情報として色相のヒストグラムを表示する技術が開示されている（例えば、特許文献２参照）。撮影者は表示されたヒストグラムから露出補正の適否と補正量とを判断することができるため、黒つぶれや白飛び、黄変などの画像劣化が少なく、被写体が適正な明るさや色で再現された画像を得ることができる。このように顔領域の色相のヒストグラムを表示することで、黒つぶれや白飛び等の判断が容易になる。
【０００５】
さらに、撮影時に被写体像を表示可能なデジタルスチルカメラにレリーズ操作検出スイッチを設けたものが特許文献１に開示されている。このデジタルスチルカメラは、レリーズ操作検出スイッチが撮影者の指の接触を検出した時には液晶モニタ上に撮影情報を被写体像に重ねて表示する。また、レリーズ操作検出スイッチが撮影者の指の離れたことを検出すると液晶モニタ上から撮影情報を消し、被写体像のみを表示する。このように、撮影者がレリーズ操作を行った場合のみ撮影情報が表示されるので、撮影の都度、撮影情報を表示するための切り替え操作を行わなくとも、自動的に撮影情報が表示される。
【０００６】
【特許文献１】特開２００４−２５４３０２号公報（第９頁、図６）
【特許文献２】特開２００４−２９７２６９号公報（第１４頁、図５）
【発明の開示】
【発明が解決しようとする課題】
【０００７】
特許文献１及び２の撮像装置では、撮影者がレリーズを操作した場合に、撮影情報やヒストグラムが撮影した画像上に重畳表示される。輝度レベルや色相のヒストグラムは画像内の大きな領域を占めるため、撮影者が露出を制御する意図が無いにも関わらず表示されると、画像自体を確認しにくくなってしまう。
【０００８】
また、撮影者が撮影動作に移行する前（即ち、レリーズ操作する前）にアシストを利用して露出を制御したい場合には、露出制御前に操作手段を用いて撮影情報やヒストグラムを表示するように切り替え、露出制御終了後に非表示に切り替えなければならない。つまり、撮影者は露出制御をする度にヒストグラム表示させる操作を行い、露出制御が終了した時点でヒストグラム表示を止める操作を行わなくてはならない。この操作は、煩雑であるばかりではなく、緊急を要する撮影の場合には撮影に支障をきたす可能性がある。
【０００９】
ゼブラパターンに関しても同様で、撮影中には撮影者にとって邪魔な表示である場合も多い。
【００１０】
本発明は上記問題点を鑑みてなされたものであり、煩雑な操作を必要とせずに、必要とされるタイミングで、露出や色に関する情報を撮影した画像上に表示することを目的とする。
【課題を解決するための手段】
【００１１】
上記目的を達成するために、本発明の撮像装置は、被写体の光学像を電気的な画像信号に変換して出力する撮像素子と、前記画像信号の輝度情報を取得する輝度情報取得手段と、露出を制御する指示を入力するための操作手段と、表示手段と、前記操作手段の操作が行われている場合に、前記輝度情報を前記画像信号に重畳させて前記表示手段に表示し、前記操作手段の操作が行われていない場合に、前記輝度情報を前記画像信号に重畳させずに前記画像信号を前記表示手段に表示するように制御する表示制御手段とを有する。
【００１２】
また、本発明の表示制御方法は、被写体の光学像を電気的な画像信号に変換して出力する撮像工程と、前記画像信号の輝度情報を取得する輝度情報取得工程と、露出を制御する操作が行われているかどうかを判断する判断工程と、前記判断工程で操作が行われていると判断された場合に、前記輝度情報を前記画像信号に重畳させて表示手段に表示し、前記判断工程で操作が行われていないと判断された場合に、前記輝度情報を前記画像信号に重畳させずに前記画像信号を前記表示手段に表示するように制御する表示制御工程とを有する。
【００１３】
また、別の構成によれば、本発明の撮像装置は、被写体の光学像を電気的な画像信号に変換して出力する撮像素子と、前記画像信号の色情報を取得する色情報取得手段と、前記画像信号に施す色処理に用いられるパラメータを入力するための操作手段と、表示手段と、前記操作手段の操作が行われている場合に、前記色情報を前記画像信号に重畳させて前記表示手段に表示し、前記操作手段の操作が行われていない場合に、前記色情報を前記画像信号に重畳させずに前記画像信号を前記表示手段に表示するように制御する表示制御手段とを有する。
【００１４】
また、表示制御方法は、被写体の光学像を電気的な画像信号に変換して出力する撮像工程と、前記画像信号の色情報を取得する色情報取得工程と、前記画像信号に施す色処理に用いられるパラメータを入力する操作が行われているかどうかを判断する判断工程と、前記判断工程で操作が行われていると判断された場合に、前記色情報を前記画像信号に重畳させて表示手段に表示し、前記判断工程で操作が行われていないと判断された場合に、前記色情報を前記画像信号に重畳させずに前記画像信号を前記表示手段に表示するように制御する表示制御工程とを有する。
【発明の効果】
【００１５】
本発明によれば、煩雑な操作を必要とせずに、必要とされるタイミングで、露出や色に関する情報を撮影した画像上に表示することができる。
【発明を実施するための最良の形態】
【００１６】
以下、添付図面を参照して本発明を実施するための最良の形態を詳細に説明する。
【００１７】
＜第１の実施形態＞
図１は本発明の第１の実施形態における電子カメラの撮像系の構成を示すブロック図である。
【００１８】
図１において、１０１はレンズ、１０２は露光量を調節する絞りであり、シャッター機能を備える。１０３は被写体の光学像を電気的な画像信号に変換して出力する撮像素子、１０４は撮像素子１０３の出力をサンプリングしてＡ／Ｄ変換を行うアナログフロントエンド（ＡＦＥ）、１０５は利得を変更するゲインアンプである。１０６はＹ／Ｃ分離回路、１０７は色信号処理部、１０８は輝度信号処理部、１０９は色差マトリクス回路、１１０はシャッター速度、絞り、ゲインなどを制御する露出制御部、１１１は露出制御部１１０を操作（露出操作）する露出操作部である。また、１１２は撮像した画像をモニタ表示する表示部、１１３は輝度信号処理部１０８における輝度情報を検出する輝度情報取得部、１１４は輝度情報取得部１１３で検出された輝度情報から表示情報を生成する表示情報生成部である。１１５は表示情報生成部１１４で生成された表示情報の表示／非表示を切り替えるスイッチ、１１６は表示情報を表示用の画像信号に重畳する加算器である。１１７は条件に応じて表示情報の表示／非表示を判定し、スイッチ１１５に対してＯＮ／ＯＦＦを制御する制御信号を出力する輝度情報表示制御部である。１１８は表示情報の表示／非表示／自動表示を撮影者が切り替えるための表示モード選択部、１１９は時間を計測するためのタイマー（計時手段）である。
【００１９】
レンズ１０１に入射した光は絞り１０２で適正光量に調整され、撮像素子１０３で光電変換される。撮像素子１０３で光電変換された映像信号はアナログフロントエンド１０４でサンプリングおよびＡ／Ｄ変換され、ゲインアンプ１０５で適切なレベルに変換された後、Ｙ／Ｃ分離回路１０６で輝度信号と色信号に分離される。Ｙ／Ｃ分離回路１０６で分離された色信号は色信号処理部１０７でホワイトバランス制御や、彩度、色相などの色系の信号処理（色処理）を施され、色差マトリクス回路１０９へ入力される。一方、Ｙ／Ｃ分離回路１０６で分離された輝度信号は輝度信号処理部１０８にて輪郭強調などの処理を施された後に色差マトリクス回路１０９へ入力され、色差信号と輝度信号となって出力される。
【００２０】
なお、図示しないが、色信号処理部１０７はホワイトバランス回路、色ガンマ回路、色相彩度補正回路などで構成される。ホワイトバランス回路で被写体に応じたホワイトバランス制御がなされた色信号は色ガンマ回路にてガンマ変換され、色相彩度補正回路で色相や彩度などの補正がなされた後、出力される。また、輝度信号処理部１０８は輝度信号処理回路、輪郭強調回路、輝度ガンマ回路などで構成され、輝度信号処理回路で所定の処理を行った後、輪郭強調回路で輪郭強調信号が加算され、輝度ガンマ回路でガンマ変換された後、出力される。色差マトリクス回路１０９で生成された映像信号は記録媒体や外部端子へ出力されると共に、モニタリング用の表示部１１２にも出力される。
【００２１】
露出制御部１１０はシャッター速度、絞り、ゲインを変更することで自動的に露出制御を行う。シャッター速度の制御としては、動画撮影では撮像素子１０３の電荷蓄積時間を電気的に変更するによって露光時間を制御する。また、静止画撮影では絞り１０２が露光時間を調節するシャッターの役割も備え、撮像素子が電荷を蓄積し始めてから露出制御部１１０により決められた露光時間経過後に絞り１０２を閉じることによって露光時間を制御する。また、撮影状態に応じてゲインアンプ１０５の利得を変更することで映像レベルの制御を行う。
【００２２】
輝度情報取得部１１３は輝度信号処理部１０８の輝度信号から輝度レベル情報を取得し、表示用の輝度情報を作成する。表示情報生成部１１４は輝度情報取得部１１３で作成された表示用の輝度情報をもとに、輝度のヒストグラム画像のビットマップデータや、ゼブラパターン信号を生成する。スイッチ１１５がＯＮ状態の場合、加算器１１６は、色差マトリクス回路１０９から出力された画像信号に、表示情報生成部１１４で生成されたヒストグラム画像のビットマップデータやゼブラパターン信号を加算する。スイッチ１１５がＯＦＦ状態の場合には、加算器１１６からは色差マトリクス回路１０９から出力された画像信号がそのまま出力される。表示部１１２は加算器１１６から出力された画像信号を表示する。
【００２３】
本第１の実施形態では、撮影者は、表示モード選択部１１８を用いて「自動表示モード」「強制表示モード」「非表示モード」の３種類の表示モードのいずれかを選択することができ、選択されたモード表示の状態を輝度情報表示制御部１１７に伝える。
【００２４】
図２は本第１の実施形態における電子カメラの輝度情報の表示切り替え処理の流れを示すフローチャートであり、輝度情報表示制御部１１７の表示判断処理を説明する図である。電子カメラにおいて輝度情報表示が選択可能な状態になると、図２に示す処理が開始され、周期的に繰り返される。
【００２５】
まず、表示モード選択部１１８により選択された表示モードの判定を行う。ステップＳ１１において非表示モードが選択されたか否かの判定を行う。非表示モードではない場合、ステップＳ１４において強制表示モードが選択されたか否かを判定し、強制表示モードでなければ、自動表示モードが選択されたと判定する。
【００２６】
ステップＳ１１で非表示モードと判定された場合、タイマー１１９のカウントをリセットする（ステップＳ１２）。これは後で自動表示モードに移行した際にカウント０からスタートする為に予めリセットしておく処理である。次に、輝度情報表示制御部１１７は、表示情報生成部１１４で生成された輝度のヒストグラム画像のビットマップデータやゼブラパターン信号等の輝度情報を表示しない設定、即ち、スイッチ１１５をＯＦＦにする設定に切り替える（ステップＳ１３）。ステップＳ１３の処理後、非表示モードの処理は終了し、ステップＳ１１に戻る。なお、ステップＳ１２とステップＳ１３の処理の順番は、前後しても並列に行っても構わない。
【００２７】
一方、ステップＳ１４で強制表示モードと判定された場合、タイマー１１９のカウンタをリセットする（ステップＳ１５）。そして、輝度情報表示制御部１１７は、表示情報生成部１１４で生成された輝度のヒストグラム画像のビットマップデータやゼブラパターン信号等の輝度情報を表示する設定、即ち、スイッチ１１５をＯＮにする設定に切り替える（ステップＳ１６）。ステップＳ１６の処理後、強制表示モードの処理は終了し、ステップＳ１１に戻る。なお、ステップＳ１５とＳ１６の順番は、前後しても並列に行っても構わない。
【００２８】
また、ステップＳ１４で自動表示モードと判定された場合、撮影者による露出操作が行われたか否かを判定する（ステップＳ１７）。露出操作が行われた場合、タイマー１１９のカウンタをリセットし（ステップＳ１８）、輝度情報表示制御部１１７は輝度情報を表示する設定、即ち、スイッチ１１５をＯＮにする設定に切り替える（ステップＳ１９）。この処理によって、自動表示モードの際に露出操作されている間は表示状態が保たれる。ステップＳ１９の処理後、自動表示モードで露出操作されている場合の処理は終了し、ステップＳ１１に戻る。なお、ステップＳ１８とＳ１９の順番は、前後しても並列に行っても構わない。
【００２９】
また、ステップＳ１４で自動表示モードと判定され、且つ、撮影者による露出操作が行われていないと判定された場合（ステップＳ１７でＮＯ）、タイマー１１９のカウント値を所定値と比較する（ステップＳ２０）。本第１の実施形態では、所定値の一例として４秒に相当するカウント値Ｔとする。タイマー１１９のカウント値が所定値Ｔ未満の場合（ステップＳ２０でＮＯ）、タイマー１１９のカウンタをカウントアップする（ステップＳ２１）。さらに、輝度情報表示制御部１１７は輝度情報を表示する設定、即ち、スイッチ１１５をＯＮにする設定に切り替える（ステップＳ２２）。
【００３０】
ここで、カウント値がＴに満たない場合について説明する。カウンタがリセットされるのは、非表示モードおよび強制表示モード、さらに、自動表示モードで露出操作されたときである。これらの状態から、自動表示モードでかつ露出操作されない状態に遷移したときは、カウンタが０となっている。すなわち、上記の状態から自動表示モードでかつ露出操作がなされない状態に遷移するとタイマー１１９のカウンタ値がカウントアップされて、所定値Ｔに至るまでの４秒間はステップＳ２２の設定により輝度情報の表示状態が保たれることになる。
【００３１】
一方、タイマー１１９のカウント値がＴ以上となった場合、輝度情報表示制御部１１７は輝度情報を表示しない設定、即ち、スイッチ１１５をＯＦＦにする設定に切り替える（ステップＳ２３）。この場合、カウンタのリセットは行わず、この状態が続いた場合にはカウンタ値はＴ以上に保持され、非表示の状態が保たれる。
【００３２】
上記処理によれば、
【００３３】
１．撮影者が非表示モードを選択している場合は、輝度情報は表示されない。
２．撮影者が強制表示モードを選択している場合は、常に輝度情報が表示される。
３．撮影者が自動表示モードを選択している場合は、
・露出操作を行われた際に輝度情報が表示され、露出操作が終了した時点から所定時間は輝度情報の表示が継続される。
・その後、再び露出操作を行うまでは輝度情報表示がなされない。
すなわち、撮影者が自動表示モードを選択した場合、撮影者が露出操作を行うときにのみ自動的に輝度情報が表示される。これにより、表示する設定に切り替える操作を行わなくとも、輝度情報を確認しながら露出補正を行うことができると共に、撮影時には邪魔になる輝度情報の表示がされない状態となる。もちろん、強制表示モードにすることで露出操作以外の用途でも輝度情報を表示することができる。
【００３４】
上記の通り本第１の実施形態によれば、自動表示モードを設定することで、輝度のヒストグラムやゼブラパターンといった輝度情報が必要とされる露出補正などの露出操作を行う際に、自動的に表示されるようになる。また、従来撮影者が行う必要があった輝度情報の表示の有無をその都度設定する操作を省くことができる。
【００３５】
なお、露出操作の一例として露出補正を説明したが、露出ロックや手動の露出設定、または輝度ガンマ補正操作、輝度レベル補正操作、露出操作メニュー表示などの操作でも構わないし、フラッシュなどの輝度に関する設定に対する操作でも良い。さらに、輝度情報表示としてヒストグラムやゼブラパターンを用いて説明したが、差分をＥＶ値で表したり、露出警告表示などのほかの表示形態でも良いことは言うまでもない。
【００３６】
＜第２の実施形態＞
次に、本発明の第２の実施形態について説明する。
【００３７】
図３は本発明の第２の実施形態における電子カメラの撮像系の構成を示すブロック図である。なお、図３において、図１に示す構成と同様の構成には同じ参照番号を付し、説明を省略する。
【００３８】
図３において、２１０は色信号処理部１０７中の色信号の彩度や色相、色ガンマなどの色信号処理パラメータを制御する色制御部、２１１は色制御部２１０を操作して彩度を変更する彩度操作部である。２１３は色情報取得部であり、色信号処理部１０７の色信号から色信号レベル情報を取得し、表示用の色信号情報を作成する。色信号はＲ，Ｇ，Ｂなどの複数の信号で構成され、色情報取得部２１３で作成される色信号情報は各色に亘る複数の情報となる。
【００３９】
２１４は色情報取得部２１３で検出された色信号情報から、表示情報を生成する表示情報生成部である。ここでは、表示情報としてヒストグラム画像のビットマップを生成する。２１５は表示情報生成部２１４で生成された表示情報の表示／非表示を切り替えるスイッチ、２１６は加算器である。２１７は条件に応じて表示情報の表示／非表示を判定し、スイッチ２１５に対してＯＮ／ＯＦＦを制御する制御信号を出力する色情報表示制御部である。スイッチ２１５がＯＮ状態の場合、加算器２１６は、色差マトリクス回路１０９から出力された画像信号に、表示情報生成部２１４で生成されたヒストグラム画像のビットマップデータを加算する。スイッチ２１５がＯＦＦ状態の場合には、加算器２１６からは色差マトリクス回路１０９から出力された画像信号がそのまま出力される。そして、表示部１１２は加算器１１６から出力された画像信号を表示する。２２０は表示する色信号情報の色を選択する表示色選択部である。
【００４０】
なお、第１の実施形態と同様に、撮影者は表示モード選択部１１８を用いて「自動表示モード」「強制表示モード」「非表示モード」の３種類の表示モードのいずれかを選択可能であり、選択されたモード表示の状態を色情報表示制御部２１７に伝える。
【００４１】
本発明の第２の実施形態である電子カメラの色情報表示切替の処理の流れは、第１の実施形態で図２に示すフローチャートを参照して説明した処理とほぼ同様であるが、ステップＳ１７における判断が「露出操作」から「色操作」となる。
【００４２】
即ち、色情報表示制御部２１７は、表示モード選択部１１８により非表示モードが選択された場合、スイッチ２１５をＯＦＦし、表示情報生成部２１４で生成されたヒストグラム画像のビットマップデータを表示しない状態とする。一方、表示モード選択部１１８により強制表示モードが選択された場合、色情報表示制御部２１７はスイッチ２１５をＯＮして表示情報生成部２１４で生成されたヒストグラム画像のビットマップデータを重畳表示する状態とする。また、表示モード選択部１１８により自動表示モードが選択された場合は、彩度操作部２１１の操作状態に応じて自動的に表示／非表示を切り替える。タイマー１１９は彩度操作部２１１で色操作がなされなくなってからカウントを開始し、例えば４秒程度の一定時間、色操作がなされない場合に、色情報表示制御部２１７は非表示に切り替える制御を行う。
【００４３】
従って、本第２の実施形態における処理によれば、
【００４４】
１．撮影者が非表示モードを選択している場合は、色信号情報は表示されない。
２．撮影者が強制表示モードを選択している場合は、常に色信号情報が表示される。
３．撮影者が自動表示モードを選択している場合は、
・色操作が行われた際に色信号情報が表示され、色操作が終了した時点から所定時間は色信号情報の表示が継続される。
・その後、再び色操作が行われるまでは色信号情報は表示されない。
すなわち、撮影者が自動表示モードを選択した場合、撮影者が色操作を行うときのみ自動的に色情報が表示される。これにより、表示する設定に切り替える操作を行わなくとも、色情報を確認しながらの色補正を行うことができると共に、撮影時には邪魔になる色情報の表示がされない状態となる。もちろん、強制表示モードにすることで色操作以外の用途でも色情報を表示することができる。
【００４５】
上記の通り本第２の実施形態によれば、自動表示モードを設定することで、ヒストグラムなどの色情報が必要とされる彩度補正などの色操作を行う際に、自動的に表示されるようになる。また、従来撮影者が行う必要があった色情報の表示の有無を設定する操作を省くことができる。
【００４６】
なお、上述した第２の実施形態では、色操作の一例として彩度補正を用いて説明したが、手動の色設定や色ガンマ補正操作、ホワイトバランス補正操作、色相補正操作、色操作メニュー表示などの、他の色処理に関する指示を入力する操作でも構わない。さらに、色信号情報表示としてヒストグラムを用いて説明したが、ホワイトバランスを色度グラフで表したり、色警告表示などのほかの表示形態でも良いことは言うまでもない。
【００４７】
なお、ここで言う色度グラフとは、ホワイトバランスの調整を行う際に、どのような色方向にずらすのかが視覚的にわかるグラフである。また、色警告表示とは、補正量が過大であった場合に表示の状態を変えるなどの警告表示等があげられる。
【００４８】
＜他の実施形態＞
本発明の目的は、以下の様にして達成することも可能である。まず、前述した実施形態の機能を実現するソフトウェアのプログラムコードを記録した記憶媒体（または記録媒体）を、システムあるいは装置に供給する。そして、そのシステムあるいは装置のコンピュータ（またはＣＰＵやＭＰＵ）が記憶媒体に格納されたプログラムコードを読み出し実行する。この場合、記憶媒体から読み出されたプログラムコード自体が前述した実施形態の機能を実現することになり、そのプログラムコードを記憶した記憶媒体は本発明を構成することになる。
【００４９】
また、コンピュータが読み出したプログラムコードを実行することにより、前述した実施形態の機能が実現されるだけでなく、以下のようにして達成することも可能である。即ち、読み出したプログラムコードの指示に基づき、コンピュータ上で稼働しているオペレーティングシステム（ＯＳ）などが実際の処理の一部または全部を行い、その処理によって前述した実施形態の機能が実現される場合である。ここでプログラムコードを記憶する記憶媒体としては、例えば、フレキシブルディスク、ハードディスク、ＲＯＭ、ＲＡＭ、磁気テープ、不揮発性のメモリカード、ＣＤ−ＲＯＭ、ＣＤ−Ｒ、ＤＶＤ、光ディスク、光磁気ディスク、ＭＯなどが考えられる。また、ＬＡＮ（ローカル・エリア・ネットワーク）やＷＡＮ（ワイド・エリア・ネットワーク）などのコンピュータネットワークを、プログラムコードを供給するために用いることができる。
【図面の簡単な説明】
【００５０】
【図１】本発明の第１の実施形態撮像装置における電子カメラの構成を示すブロック図である。
【図２】本発明の第１の実施形態撮像装置における第１の実施形態のフローを示す図。
【図３】本発明の第２の実施形態撮像装置における電子カメラの構成を示すブロック図である。
【図４】ヒストグラムの表示例を示す図である。
【符号の説明】
【００５１】
１０１  レンズ
１０２  絞り
１０３  撮像素子
１０４  アナログフロントエンド
１０５  ゲインアンプ
１０６  Ｙ／Ｃ分離回路
１０７  色信号処理部
１０８  輝度信号処理部
１０９  色差マトリクス回路
１１０  露出制御部
１１１  露出操作部
１１２  表示部
１１３  輝度情報取得部
１１４、２１４  表示情報生成部
１１５、２１５  スイッチ
１１６、２１６  加算器
１１７  輝度情報表示制御部
１１８  表示モード選択部
１１９  タイマー
２１０  色制御部
２１１  彩度操作部
２１３  色情報取得部
２１７  色情報表示制御部
２２０  表示色選択部
【図１】
2008278040.tif 000003
【図２】
2008278040.tif 000004
【図３】
2008278040.tif 000005
【図４】
2008278040.tif 000006